(57)【特許請求の範囲】
【請求項１】
機体を構成するハウジング内に垂直軸を中心に回転する刈取刃体が配置され、通気可能なネット体で構成された集草袋体が前記ハウジングの後部に着脱可能に装着され、前記刈取刃体により刈り取られた芝生等の刈取片を前記ハウジングの後部に設けられた排出口を通って前記集草袋体内に収容し、当該集草袋体の後方において作業者が歩行しながらハンドルを持って作業を行なう構成の歩行式ロータリーモアの集草袋装置において、
前記刈取片と一緒になって前記集草袋体内に流入した塵類が上方に舞い上がるのを防止するための防塵カバーは、非通気性の透明ビニルシートにより、前記集草袋体の外側を覆い得る不確定な立体形状に形成されて、下面と前面のみが開口されて、側面部、及び上面部の幅は、いずれも後方に向かって漸次広くなっていて、
前記防塵カバーは、両前面開口を合致させて集草袋体の外側を覆った状態で、前部は、前記集草袋体を構成する開口フレームに紐類を介して連結され、その後部は、集草袋体の上面との間に所定の隙間が形成されるようにして、ロータリーモアを構成するハンドルの横部材に吊下ロッドを介して吊り下げられていることを特徴とする歩行式ロータリーモアの集草袋装置。
【発明の詳細な説明】
【０００１】
【発明の属する技術分野】
本発明は、刈り取られた芝生等の刈取片を回収する集草袋体を備えた歩行式ロータリーモアの集草袋装置に関するものである。
【０００２】
【従来の技術】
歩行式のロータリーモアには、大別して自走式と手押し式とがあるが、いずれの形式においても、機体を構成するハウジング内に垂直軸を中心に回転する刈取刃体が配置され、前記刈取刃体により刈り取られた芝生等の刈取片は、前記刈取刃体の高速回転により前記ハウジング内に生ずる旋回気流によって、前記ハウジングの後部に設けられた排出口を通って機体後方に排出される構成になっている。
【０００３】
ここで、刈り取られた刈取片が短かくて、そのまま芝生面上に放置するのが好ましくない場合等には、機体後部に集草袋体を装着して、該集草袋体内に刈取片を収容する構成になっている。ところが、一定面積に対して刈り取る芝生等が少ない場合（芝生等の密度が小さい場合）には、刈取刃体の高速回転による旋回気流により、表面の乾燥した土、ゴミ等が塵状となって舞い上がり、そのまま刈り取られた刈取片と一緒になって気流内に入り込んで、機体後部の集草袋体内に流入する。この集草袋体は、短い刈取片が収容可能であって、しかも流入した気流が外部に流出可能な構造にすべく、底面のみが非通気材で構成され、残りの全ての部分はネット体等の通気材で構成されている。
【０００４】
よって、刈取片と一緒になって集草袋体内に流入した気流に含まれている塵類は、集草袋体の上面、背面、或いは両側面から外部に流出して上方に高く舞い上がり、ロータリーモアの後方において、そのハンドルを持って作業をしている作業者の周囲のほぼ全空間が前記塵類で覆われる。よって、上記芝刈作業は、防塵マスク、防塵眼鏡等を装着しないと一定時間連続して作業ができないという過酷な環境下での作業であった。
【０００５】
【発明が解決しようとする課題】
本発明は、集草袋体を装着した歩行式のロータリーモアにより芝刈作業等を行う際に、刈り取られた芝生等の刈取片と一緒に前記集草袋体内に流入した塵類が上方に高く舞い上がるのを防止して、上記作業環境を改善することを課題としている。
【０００６】
【課題を解決するための手段】
上記課題を解決するための請求項１に記載の発明は、機体を構成するハウジング内に垂直軸を中心に回転する刈取刃体が配置され、通気可能なネット体で構成された集草袋体が前記ハウジングの後部に着脱可能に装着され、前記刈取刃体により刈り取られた芝生等の刈取片を前記ハウジングの後部に設けられた排出口を通って前記集草袋体内に収容し、当該集草袋体の後方において作業者が歩行しながらハンドルを持って作業を行なう構成の歩行式ロータリーモアの集草袋装置において、前記刈取片と一緒になって前記集草袋体内に流入した塵類が上方に舞い上がるのを防止するための防塵カバーは、非通気性の透明ビニルシートにより、前記集草袋体の外側を覆い得る不確定な立体形状に形成されて、下面と前面のみが開口されて、側面部、及び上面部の幅は、いずれも後方に向かって漸次広くなっていて、前記防塵カバーは、両前面開口を合致させて集草袋体の外側を覆った状態で、前部は、前記集草袋体を構成する開口フレームに紐類を介して連結され、その後部は、集草袋体の上面との間に所定の隙間が形成されるようにして、ロータリーモアを構成するハンドルの横部材に吊下ロッドを介して吊り下げられていることを特徴としている。
【０００７】
請求項１の発明によれば、刈取片と一緒になって集草袋体内に流入した気流に含まれている塵類は、該集草袋体の網目から外部に流出するが、前記集草袋体の外側は、その底面を除いて、非通気材で形成された防塵カバーで覆われているので、そのまま上方、或いは後方に飛散することなく、前記防塵カバーの内面に沿って一旦下方に向けて流れた後に、該防塵カバーの底面の開口から外部に放出される。よって、ロータリーモアの刈取刃体の高速回転により発生した塵類は、刈取片と一緒になって排出気流に乗って、従来と同様に集草袋体内に一旦流入した後に、該集草袋体の外部に排出されて舞い上がるが、集草袋体の外側に防塵カバーで覆われている分だけ、その舞上り高さは低くなって、通常は、作業者の腰の高さ程度まで抑えられる。この結果、ロータリーモアによる刈取作業時の環境が大幅に改善されて、作業者は、良好な環境の下で長時間に亘って連続して作業を行える。
【０００８】
防塵カバーは、透明ビニルシートで形成されて不確定な立体形状をしているが、その後部が吊下ロッドを介してロータリーモアのハンドルの横部材に吊り下げられているため、防塵カバーの上面が集草袋体の上面に密着したり、該防塵カバーの後下端部が芝生面に接触して、引きずられたりしなくなる。これにより、集草袋体の上面と防塵カバーの上面との間に所定の隙間が形成されて、集草袋体の上面からの気流の排出が確実に行われると共に、防塵カバーの後下端部が引きずられなくなって、芝生等の被刈取物と防塵カバー自身との双方の損傷が防止される。また、防塵カバーは透明ビニルシートで形成されているため、内部の集草袋体内の刈取片の収容量を視認しながら、ロータリーモアによる芝刈作業等を行なえる。更に、防塵カバーの側面部と上面部は、後方に向けて幅広になっているので、集草袋体から排出された粉塵の飛散防止の効果が高められる。
【０００９】
【００１０】
【００１１】
【００１２】
【００１３】
【発明の実施の形態】
以下、実施例を挙げて本発明を更に詳細に説明する。図１は、本発明に係る集草袋装置を装着した自走式の歩行式ロータリーモアを後方から見た斜視図であり、図２は、同じく側面図、図３は、同じく平面図である。最初に、歩行式ロータリーモアの全体構成について説明し、その後に、本発明に係る集草袋装置の部分について詳細に説明する。
【００１４】
図１ないし図３において、機体を構成するハウジングＨは、平面形状が略円形のハウジング本体１を有していて、該ハウジング本体１の前後には、それぞれ前方及び後方に突出した突出部２，３が一体に設けられ、各突出部２，３には、それぞれ一対の前輪４と同様の後輪５とがそれぞれ装着されている。前方及び後方の各突出部２，３は、それぞれ平面視で略同幅を維持して突出されていると共に、後方の突出部３は、後方にゆくに従って急激に高くなっている。また、ハウジング本体１には、エンジンＥが搭載されていると共に、前記ハウジング本体１の下端部の周囲を囲まれた部分の内側には、刈取刃体６が配置されている。この刈取刃体６は、前記エンジンＥの動力により駆動される垂直回転軸１０の下端部に一体に取付けられている。また、ハウジングＨの後方突出部３に取付けられた一対の後輪５は、前記エンジンＥの動力により駆動されて、ロータリーモアが自走する構成になっている。
【００１５】
また、図１に示されるように、ハウジングＨの後方突出部３には、前記刈取刃体６の回転により生ずる旋回気流を後方に排出するための方形状の排出口７が形成されている。また、図１ないし図３、及び図７にそれぞれ示されるように、ハウジングＨの後方突出部３の後端面３ａは、上端が前方に位置するような傾斜面状に形成され、該傾斜後端面３ａの上端部には、側面形状が略三角形状をしたガード体８が、その上端部（集草袋体Ｇの使用時においては前端部）の支点を中心にして下方に付勢された状態で回動可能となって一体に装着されている。このガード体８は、集草袋体Ｇを使用する場合には、図１ないし図３に示されるように、上方に回動されて、ハウジングＨの後方突出部３に係止状態で装着された前記集草袋体Ｇの前端部を上方から覆うように押圧させて、ハウジングＨに対する集草袋体Ｇを確実に装着する作用を果たすと共に、集草袋体Ｇを使用しない場合には、図７に示されるように、自身の付勢力により下方に回動されて、ハウジングＨの後方突出部３の後端面３ａに当接して、その底面の開口から芝生等の比較的長い刈取片を排出する構成となっている。従って、ガード体８は、その両側面と背面（集草袋体Ｇの使用時においては上面）にのみ板部を有していて、その前面（集草袋体Ｇの使用時においては下面）と下面（集草袋体Ｇの使用時においては背面）とは、いずれも開口構造となっている。なお、刈取刃体６は、平面視で時計方向に回転するため、ハウジング本体１内においては、図３で矢印Ｑで示されるような旋回気流が発生する。
【００１６】
また、ロータリーモアの機体を構成するハウジングＨの後方突出部３の両側面には、ハンドル９が斜後上方に向けて一体に取付けられていて、該ハンドル９の前後方向の中間部には、横部材１１が一体に設けられている。そして、図１ないし図３に示されるように、ハウジングＨの後方突出部３に集草袋体Ｇを装着した状態において、該集草袋体Ｇの後端部は、ほぼ前記横部材１１の位置に達している。
【００１７】
次に、図４ないし図６を主体にして、本発明に係る集草袋装置について詳細に説明する。図４は、集草袋体Ｇの外側を防塵カバーＣで覆った状態の斜視図であり、図５は、集草袋体Ｇと防塵カバーＣとを分離させた状態の斜視図であり、図６は、集草袋体Ｇの外側を防塵カバーＣで覆った状態の模式的横断面図である。この集草袋装置は、従来から使用されている集草袋体Ｇと、該集草袋体Ｇの底面（下面）と前面とを除く全ての面（上面、背面、及び両側面）を外側から覆う防塵カバーＣとで構成される。
【００１８】
ここで、集草袋体Ｇは、使用状態の立体形状において、略直方体状をした袋体であって、前面の全面と上面の前端部の傾斜面とが連続した開口２１となっていて、該開口２１の周囲は、全て金属棒から成る開口フレーム２２で囲まれて、その開口形状が定められている。また、前記開口フレーム２２には、集草袋体Ｇの上面の形状を定めるための平面形状がコの字状をした金属棒から成る平面フレーム２３が一体に固着されている。これにより、開口形成用及び平面形状形成用の各フレーム２２，２３によって集草袋体Ｇの二面の形状が確定され、残りの各面（両側面、背面及び底面）の形状は、全体が略直方体状となるように集草袋体Ｇを引き起こすことにより確定される。そして、集草袋体Ｇの底面部２４のみは、刈取片Ｐ（図６参照）を集草可能に保持するために、非通気性の厚いビニルシートで構成されるが、残りの全ての面部（両側面部２５、上面部２６及び背面部２７）は、全て通気性を有するネット体で構成される。
【００１９】
また、開口フレーム２２を構成する金属棒のほぼ全ての部分には、前記ネット体を接着固定できる樹脂製の嵌着体２８が嵌着され、集草袋体Ｇの両側面部２５と上面部２６とを形成するネット体の前記開口２１に臨む前端縁部は、いずれも前記嵌着体２８に接着固定されていると共に、集草袋体Ｇの底面部２４を形成する厚いビニルシートの前端縁部も、前記嵌着体２８に接着固定されている。また、集草袋体Ｇの底面部２４を形成する厚いビニルシートの前端縁部を除く残りの三辺の各端縁部と、集草袋体Ｇの両側面部２５及び背面部２７（図１参照）を形成するネット体の下端縁部とは、互いに接着固定されている。
【００２０】
また、集草袋体Ｇの開口２１を囲んでいる開口フレーム２２のうち前面に斜上下方向に配置された一対の傾斜部分には、ロータリーモアを構成する前記ハウジングＨの後方突出部３の上面に設けられた一対の係止孔１２（図２参照）に対して係止される一対の係止突起体２９が前方に突出して設けられている。
【００２１】
そして、図１ないし図３に示されるように、ガード体８を上方に引き起こした状態で、集草袋体Ｇの前面の開口２１の周囲に設けられた開口フレーム２２を、ハウジングＨの後方突出部３の後端面３ａに当接させると共に、集草袋体Ｇに設けられた前記一対の係止突起体２９を、ハウジングＨの後方突出部３の上面に設けられた一対の係止孔１２に係止させ、この状態で、前記ガード体８を開放させると、該ガート体８は、自身の有する下方への付勢力によって、集草袋体Ｇの開口２１のうち上面の前端部の傾斜面となった部分を覆った状態となる。
【００２２】
また、前記集草袋体Ｇの外側を覆う防塵カバーＣは、その全体が非通気性の比較的厚い透明ビニルシートで構成され、立体形状を維持した使用状態において、その下面と前面のみが開口して、両側面部３１と上面部３２と背面部３３（図１参照）とがカバー部となった略直方体状となっている。正確には、防塵カバーＣの側面部３１及び上面部３２の各幅は、いずれも後方に向けて漸次広くなっていて、その前面開口の四箇所（両側面部３１の前下端部と、上面部３２の前両端部との計四箇所）には、固定紐３４を挿通させるためのリング状の金具３５が一体に取付けられている。また、防塵カバーＣの上面部３２の後端中央部には、上端部がフック状となった吊下ロッド３６が上方に突出して一体に取付けられている。
【００２３】
そして、上記のようにして、ロータリーモアを構成するハウジングＨの後方突出部３に装着された集草袋体Ｇの外側を前記防塵カバーＣで覆って、該防塵カバーＣの前面の四箇所を固定紐３４を介して集草袋体Ｇの開口フレーム２２に固定すると共に、前記防塵カバーＣの上面部３２の後端中央部に取付けられた吊下ロッド３６を、ロータリーモアのハンドル９の横部材１１に引っ掛ける。
【００２４】
これにより、集草袋体Ｇの底面部２４を除く全ての部分が防塵カバーＣで覆われる。そして、防塵カバーＣの全体形状は、上記したようであるため、図６に示されるように、集草袋体Ｇの両側面部２５と防塵カバーＣの両側面部３１との間には、所定の側面隙間４１が形成される。また、防塵カバーＣの上面部３２は、吊下ロッド３６によりハンドル９の横部材１１に吊り下げられているため、集草袋体Ｇの上面部２６と防塵カバーＣの上面部３２との間には、所定の上面隙間４２が形成され、しかも防塵カバーＣの後下端部が引きずられなくなるため、芝生等の被刈取物と防塵カバーＣ自身との双方の損傷が防止される。
【００２５】
このように、集草袋体Ｇの外側が防塵カバーＣで覆われていて、その両側面と上面とには、それぞれ隙間４１，４２が形成されている。よって、ロータリーモアが芝生上を走行して、刈取刃体６の高速回転により刈り取られた芝生の刈取片Ｐは、同時発生した塵類と一緒になってハウジング本体１内で生ずる旋回気流によって、ハウジングＨの後方突出部３の排出口７から後方に排出されて、集草袋体Ｇ内に流入する。
【００２６】
そして、図６に示されるように、集草袋体Ｇ内に流入した刈取片Ｐは、その底面部２４の上に順次堆積されると共に、塵類を含んだ気流は、集草袋体Ｇを構成するネット体の網目から外部に流出した後に、その外側に配置された防塵カバーＣとの間で形成される上面及び側面の各隙間４２，４１を通って一旦下方に向けて流れ、その後に、防塵カバーＣの下面の開口（排出口）３７から防塵カバーＣの外部に排出される。そして、防塵カバーＣの下面の開口３７から、その外部に塵類を含んだ気流が流出する際には、その気流方向は、側方、或いは斜下方に向くことになる。
【００２７】
このように、集草袋体Ｇの外側を防塵カバーＣで覆うことにより、塵類を含んだ気流は、上記した経路を通って防塵カバーＣの外部に流出するので、塵類が高く舞い上がらなくなって、集草袋体Ｇの後方において、ハンドル９を持っている作業者に対する環境が改善される。実験結果によると、防塵カバーＣを使用しない場合には、排出気流に含まれている塵類は、作業者の背丈を超えて舞い上がっていたのに対して、防塵カバーＣを使用すると、塵類の舞上り高さは、作業者の腰近辺までに抑えることができた。なお、図６において、Ｔは、短く刈り取られた後の芝生を示す。
【００２８】
また、上記実施形態の防塵カバーＣは、集草袋体Ｇの底面を除く全ての面部である両側面部２５、上面部２６及び背面部２７の外側を覆っているが、排出気流に含まれる塵類の舞い上がりを防止して、ロータリーモアの作業者の周辺環境を改善する本発明の観点からは、集草袋体Ｇの少なくとも上面部２６と背面部２７とは覆う必要があるが、その両側面部２５に関しては、必ずしも全面を覆う必要はない場合もあり得る。
【００２９】
なお、ロータリーモアによる作業に関しては、芝生の刈取りに限られず、背丈の低い草類の刈取りも可能であって、後者の場合でも、その密度が低い場合には、排出気流内に塵類が含まれることになり、本発明に係る防塵カバーを使用することにより、塵類が高く舞い上がるのを防止できる。
【００３０】
【発明の効果】
本発明に係る防塵カバーにより集草袋体の外側を覆って作業をすれば、刈り取られた芝生等の刈取片と一緒に前記集草袋体内に流入した塵類が外部に排出された後に上方に高く舞い上がるのが防止できて、前記集草袋体の後方において運転操作を行う作業者の環境が改善されて、長時間に亘って連続して作業することが可能となる。また、防塵カバーは、透明ビニルシートで形成されて不確定な立体形状をしているが、その後部が吊下ロッドを介してロータリーモアのハンドルの横部材に吊り下げられているため、防塵カバーの上面が集草袋体の上面に密着したり、該防塵カバーの後下端部が芝生面に接触して、引きずられたりしなくなる。これにより、集草袋体の上面と防塵カバーの上面との間に所定の隙間が形成されて、集草袋体の上面からの気流の排出が確実に行われると共に、防塵カバーの後下端部が引きずられなくなって、芝生等の被刈取物と防塵カバー自身との双方の損傷が防止される。
【図面の簡単な説明】
【図１】  本発明に係る集草袋装置を装着した自走式の歩行式ロータリーモアを後方から見た斜視図である。
【図２】  同じく側面図である。
【図３】  同じく平面図である。
【図４】  集草袋体Ｇの外側を防塵カバーＣで覆った状態の斜視図である。
【図５】  集草袋体Ｇと防塵カバーＣとを分離させた状態の斜視図である。
【図６】  集草袋体Ｇの外側を防塵カバーＣで覆った状態の模式的横断面図である。
【図７】  集草袋体Ｇを使用しないで作業を行う場合のロータリーモアの側面図である。
【符号の説明】
Ｃ：防塵カバー
Ｇ：集草袋体
Ｈ：ハウジング
Ｐ：刈取片
６：刈取刃体
７：排出口
２１：集草袋体の前面開口
２２：開口フレーム
２３：平面フレーム
３１：防塵カバーの側面部
３２：防塵カバーの上面部
３３：防塵カバーの背面部
３４：固定紐
３６：吊下ロッド
【図１】
0003878049.tif 000002
【図２】
0003878049.tif 000003
【図３】
0003878049.tif 000004
【図４】
0003878049.tif 000005
【図５】
0003878049.tif 000006
【図６】
0003878049.tif 000007
【図７】
0003878049.tif 000008